(57)【要約】 【課題】全ての使用者の身体的特性に合致した位置に配置することができるインソール用凸状部材、当該インソール用凸状部材を備えたインソール及び当該インソールを備えた履物を提供する。【解決手段】インソール１２に設けられるインソール用凸状部材１０であって、所定の厚みを有しインソールに対して着脱自在に装着可能な凸状部材本体１４と、凸状部材本体１４側及びインソール１２側に設けられ凸状部材本体１４とインソール１２との間における着脱を可能にする面ファスナー部１６と、を有する。【選択図】      図１
2014132940.tif 000002
【特許請求の範囲】
【請求項１】
インソールに設けられるインソール用凸状部材であって、
所定の厚みを有し、前記インソールに対して着脱自在に装着可能な凸状部材本体と、
前記凸状部材本体側及び前記インソール側に設けられ、前記凸状部材本体と前記インソールとの間における着脱を可能にする面ファスナー部と、
を有することを特徴とするインソール用凸状部材。
【請求項２】
前記凸状部材本体は、動作時に足裏の一部に引っ掛かり重心移動を制御するための重心移動制御部材であることを特徴とする請求項１に記載のインソール用凸状部材。
【請求項３】
前記凸状部材本体は、足裏のつぼを刺激するためのつぼ押圧部材であることを特徴とする請求項１に記載のインソール用凸状部材。
【請求項４】
インソール用凸状部材を設けたインソールであって、
所定の厚みを有し、前記インソールに対して着脱自在に装着可能な凸状部材本体と、
前記凸状部材本体側及び前記インソール側に設けられ、前記凸状部材本体と前記インソールとの間における着脱を可能にする面ファスナー部と、
を有することを特徴とするインソール。
【請求項５】
前記面ファスナー部は、相互に着脱自在に係合可能なフック部とループ部とを有し、
前記フック部又は前記ループ部の少なくともいずれか一方が前記凸状部材本体側に設けられ、
前記フック部又は前記ループ部の少なくともいずれか他方が前記インソール側に設けられていることを特徴とする請求項４に記載のインソール。
【請求項６】
前記フック部又は前記ループ部の少なくともいずれか他方は、足裏と対面する側の表面の全領域にわたって設けられていることを特徴とする請求項５に記載のインソール。  
【請求項７】
前記凸状部材本体は、動作時に足裏の一部に引っ掛かり重心移動を制御するための重心移動制御部材であることを特徴とする請求４乃至６のいずれか１項に記載のインソール。
【請求項８】
前記凸状部材本体は、足裏のつぼを刺激するためのつぼ押圧部材であることを特徴とする請求項４乃至６のいずれか１項に記載のインソール。
【請求項９】
インソール用凸状部材を設けたインソールを収容した履物であって、
所定の厚みを有し、前記インソールに対して着脱自在に装着可能な凸状部材本体と、
前記凸状部材本体側及び前記インソール側に設けられ、前記凸状部材本体と前記インソールとの間における着脱を可能にする面ファスナー部と、
を有することを特徴とする履物。
【請求項１０】
前記面ファスナー部は、相互に着脱自在に係合可能なフック部とループ部とを有し、
前記フック部又は前記ループ部の少なくともいずれか一方が前記凸状部材本体側に設けられ、
前記フック部又は前記ループ部の少なくともいずれか他方が前記インソール側に設けられていることを特徴とする請求項９に記載の履物。
【請求項１１】
前記フック部又は前記ループ部の少なくともいずれか他方は、足裏と対面する側の前記インソールの表面全領域にわたって設けられていることを特徴とする請求項１０に記載の履物。
【請求項１２】
前記凸状部材本体は、動作時に足裏の一部に引っ掛かり重心移動を制御するための重心移動制御部材であることを特徴とする請求９乃至１１のいずれか１項に記載の履物。
【請求項１３】
前記凸状部材本体は、足裏のつぼを刺激するためのつぼ押圧部材であることを特徴とする請求項９乃至１１のいずれか１項に記載の履物。
【発明の詳細な説明】
【技術分野】
【０００１】
本発明は、例えばインソールに着脱自在なインソール用凸状部材、前記インソール用凸状部材を備えたインソール及び前記インソールを装着した履物に関する。
【背景技術】
【０００２】
従来のインソールでは、クッション部材を備えたものや、足のアーチを保持可能な隆起をインソールの表面に形成したものなどが知られている（下記の特許文献１〜３参照）。
【０００３】
また、従来のインソールには、足裏のつぼを刺激するための凸部の基部が孔に着脱自在に装着可能なものが知られている（下記の特許文献４参照）。
【先行技術文献】
【特許文献】
【０００４】
【特許文献１】特開平９−１９１９０４号公報
【特許文献２】実開平６−０７５２０２号公報
【特許文献３】実用新案登録第３１５７２６３号公報
【特許文献４】実用新案登録第３０３２６６４号公報
【発明の概要】
【発明が解決しようとする課題】
【０００５】
しかしながら、上記インソールでは、クッション部材や隆起がインソール表面に固定されており、それらの位置を自由に調整することができなかった。足裏の形状や重心位置などは人によってそれぞれ異なるため、クッション部材や隆起の位置が固定されると、それらが自分に合った位置に必ずしも存在せず、クッション部材や隆起を設けたことによる効果を十分に享受することができなかった。
【０００６】
また、凸部の基部がインソールの孔に着脱自在に装着される構成においても、足裏のつぼの位置が人によって異なり、その一方で孔の位置が固定されていれば、使用者の足裏のつぼの位置に合致した部位に凸部を設けることができなくなる問題がある。この問題は、たとえ孔が複数形成されている場合でも、根本的に解決することができない。
【０００７】
そこで、本発明は、上記問題点を解決するため、全ての使用者の身体的特性に合致した位置に配置することができるインソール用凸状部材、当該インソール用凸状部材を備えたインソール及び当該インソールを備えた履物を提供することを目的とする。
【課題を解決するための手段】
【０００８】
第１の発明は、インソールに設けられるインソール用凸状部材であって、所定の厚みを有し、前記インソールに対して着脱自在に装着可能な凸状部材本体と、前記凸状部材本体側及び前記インソール側に設けられ、前記凸状部材本体と前記インソールとの間における着脱を可能にする面ファスナー部と、を有することを特徴とする。
【０００９】
第１の発明に関連する関連発明として、前記凸状部材本体は、動作時に足裏の一部に引っ掛かり重心移動を制御するための重心移動制御部材であることを特徴とする。
【００１０】
第１の発明に関連する関連発明として、前記凸状部材本体は、足裏のつぼを刺激するためのつぼ押圧部材であることを特徴とする。
【００１１】
第２の発明は、インソール用凸状部材を設けたインソールであって、所定の厚みを有し、前記インソールに対して着脱自在に装着可能な凸状部材本体と、前記凸状部材本体側及び前記インソール側に設けられ、前記凸状部材本体と前記インソールとの間における着脱を可能にする面ファスナー部と、を有することを特徴とする。
【００１２】
第２の発明に関連する関連発明として、前記面ファスナー部は、相互に着脱自在に係合可能なフック部とループ部とを有し、前記フック部又は前記ループ部の少なくともいずれか一方が前記凸状部材本体側に設けられ、前記フック部又は前記ループ部の少なくともいずれか他方が前記インソール側に設けられていることを特徴とする。
【００１３】
第２の発明に関連する関連発明として、前記フック部又は前記ループ部の少なくともいずれか他方は、足裏と対面する側の表面の全領域にわたって設けられていることを特徴とする。  
【００１４】
第２の発明に関連する関連発明として、前記凸状部材本体は、動作時に足裏の一部に引っ掛かり重心移動を制御するための重心移動制御部材であることを特徴とする。
【００１５】
第２の発明に関連する関連発明として、前記凸状部材本体は、足裏のつぼを刺激するためのつぼ押圧部材であることを特徴とする。
【００１６】
第３の発明は、インソール用凸状部材を設けたインソールを収容した履物であって、所定の厚みを有し、前記インソールに対して着脱自在に装着可能な凸状部材本体と、前記凸状部材本体側及び前記インソール側に設けられ、前記凸状部材本体と前記インソールとの間における着脱を可能にする面ファスナー部と、を有することを特徴とする。
【００１７】
第３の発明に関連する関連発明として、前記面ファスナー部は、相互に着脱自在に係合可能なフック部とループ部とを有し、前記フック部又は前記ループ部の少なくともいずれか一方が前記凸状部材本体側に設けられ、前記フック部又は前記ループ部の少なくともいずれか他方が前記インソール側に設けられていることを特徴とする。
【００１８】
第３の発明に関連する関連発明として、前記フック部又は前記ループ部の少なくともいずれか他方は、足裏と対面する側の前記インソールの表面全領域にわたって設けられていることを特徴とする。
【００１９】
第３の発明に関連する関連発明として、前記凸状部材本体は、動作時に足裏の一部に引っ掛かり重心移動を制御するための重心移動制御部材であることを特徴とする。
【００２０】
第３の発明に関連する関連発明として、前記凸状部材本体は、足裏のつぼを刺激するためのつぼ押圧部材であることを特徴とする。
【発明の効果】
【００２１】
第１の発明によれば、凸状部材本体が面ファスナー部によってインソールに着脱自在に装着される。このため、凸状部材本体を面ファスナー部によってインソール上の様々な位置に配置させることができる。この結果、使用者の身体的特性に合致した最適な位置に凸状部材本体を設置することができる。
【００２２】
また、凸状部材本体が動作時に足裏の一部に引っ掛かり重心移動を制御するための重心移動制御部材であるため、使用者の素早く正確な重心移動が可能になる。
【００２３】
また、凸状部材本体が足裏のつぼを刺激するつぼ押圧部材であるため、使用者の足裏のつぼを的確に押圧することができる。
【００２４】
第２の発明によれば、使用者の身体的特性に合致した最適な位置に凸状部材本体を設置したインソールを得ることができる。
【００２５】
また、面ファスナー部が相互に着脱自在に係合可能なフック部とループ部とを有しているため、凸状部材本体をインソールに容易に着脱自在に装着することができる。
【００２６】
また、フック部又はループ部のいずれか他方が、足裏と対面する側の表面の全領域にわたって設けられているため、インソールの表面のいずれの部位においても凸状部材本体を着脱自在に装着することができる。これにより、凸状部材本体の装着自由度を高めることができる。
【００２７】
第３の発明によれば、使用者の身体的特性に合致した最適な位置に凸状部材本体を設置した履物を得ることができる。
【図面の簡単な説明】
【００２８】
【図１】本発明のインソール用凸状部材（重心移動制御部材を有するもの）及びインソールの一形態を示した斜視図である。
【図２】本発明のインソール用凸状部材（つぼ押圧部材を有するもの）及びインソールの一形態を示した斜視図である。
【図３】本発明のインソール用凸状部材を備えたインソールを収容した履物の一形態（２重インソール＋２つのインソールの間にインソール用凸状部材を配置した形態）を示した図である。
【図４】本発明のインソール用凸状部材を備えたインソールを収容した履物の一形態（１重インソール＋インソールの下方にインソール用凸状部材を配置した形態）を示した図である。
【図５】本発明のインソール用凸状部材を備えたインソールを収容した履物の一形態（１重インソール＋インソールの上方にインソール用凸状部材を配置した形態）を示した図である。
【図６】本発明のインソール用凸状部材の凸状部材本体の長手方向が水平方向となるようにインソール用凸状部材がインソールに配置された状態の説明図である。
【図７】本発明のインソール用凸状部材の凸状部材本体の長手方向が垂直方向となるようにインソール用凸状部材がインソールに配置された状態の説明図である。
【図８】本発明のインソール用凸状部材を設けない場合の右足の重心移動の軌跡を示した図（実験結果）である。
【図９】本発明のインソール用凸状部材を設け、かつインソール用凸状部材の凸状部材本体の角度調整をしない場合の右足の重心移動の軌跡を示した図（実験結果）である。
【図１０】本発明のインソール用凸状部材を設け、かつインソール用凸状部材の凸状部材本体の角度調整をした場合の右足の重心移動の軌跡を示した図（実験結果）である。
【図１１】本発明のインソール用凸状部材を構成する面ファスナー部のフック部とループ部とを示した概念図である。
【発明を実施するための形態】
【００２９】
本発明の一実施形態に係るインソール用凸状部材、インソール及び履物について、図面を参照して説明する。
【００３０】
先ず、インソール用凸状部材及びインソールについて説明する。
【００３１】
図１及び図２に示すように、インソール用凸状部材１０は、所定の厚みを有しインソール１２に着脱自在に装着可能な凸状部材本体１４と、凸状部材本体側及びインソール側に設けられ凸状部材本体１４とインソール１２との間における着脱を可能にする面ファスナー部１６と、を有している。
【００３２】
凸状部材本体１４は、インソール１２に装着後において他の表面よりも凸状になっていればよく、例えば、ブロック片などでもよい。また、凸状部材本体１４の形状及び寸法等は、インソール１２の形状や寸法、使用者の身体的特性等を考慮して適宜決定すればよく、特に限定されるものではない。
【００３３】
凸状部材本体１４は、弾性体で構成されていることが好ましい。凸状部材本体１４には、例えば、プラスチック、ゴム、各種発泡剤、ウレタン樹脂、金属、木材など適宜採用することができる。
【００３４】
凸状部材本体１４の形状は、角形状、丸形状など、適宜採用することができる。
【００３５】
凸状部材本体１４の表面の少なくとも一部（例えば下面）には、面ファスナー部１６を構成する一方側ファスナー部１６Ａが形成されている。
【００３６】
凸状部材本体１４として、例えば、図１に示すように、歩行やスポーツなどの動作時に足裏の一部に引っ掛かり重心移動を制御するための重心移動制御部材１５が採用される。
【００３７】
あるいは、凸状部材本体１４として、例えば、図２に示すように、足裏のつぼを刺激するためのつぼ押圧部材１７が採用される。つぼ押圧部材１７は、単数の他に、複数設けられている構成が好ましい。特に、つぼ押圧部材１７が複数設けられている構成では、使用者の足裏の形状・寸法や押圧刺激するつぼの種類等を考慮して、その長さ・太さなどを適宜決定することができる。
【００３８】
一方、インソール１２の表面の少なくとも一部には、前記面ファスナー部１６を構成する他方側ファスナー部１６Ｂが形成されている。
【００３９】
例えば、他方側ファスナー部１６Ｂは、使用者の足裏と対面する側のインソール１２の表面全領域（例えば、上面全領域あるいは下面全領域）にわたって形成されていることが好ましい。
【００４０】
ここで、面ファスナー部１６は、例えば、図１１に示すように、相互に着脱自在に係合可能なフック部１８とループ部２０とを有している。
【００４１】
具体的には、一方側ファスナー部１６Ａは、フック部１８又はループ部２０のいずれか一方で構成され、他方側ファスナー部１６Ｂは、フック部１８又はループ部２０のいずれか他方で構成される。
【００４２】
例えば、一方側ファスナー部１６Ａがフック部１８で構成され、他方側ファスナー部１６Ｂがループ部２０で構成される。あるいは、一方側ファスナー部１６Ａがループ部２０で構成され、他方側ファスナー部１６Ｂがフック部１８で構成される。
【００４３】
また、一方側ファスナー部１６Ａは、フック部１８とループ部２０の両方で構成され、他方側ファスナー部１６Ｂは、フック部１８とループ部２０の両方で構成されていてもよい。この場合には、相互に対向する部位に、フック部１８とループ部２０とが配置され、相互に係合可能になっている。特に、フック部１８をループ部２０より高さを低くすることにより、肌触りがよく、相手生地を傷めにくく、糸くずやゴミがつきにくい構造にすることができる。
【００４４】
フック部１８は、例えば、複数の微小なカギ状部を備えている。ループ部２０は、例えば、複数の小さなループ状部が並んで構成されている。フック部１８とループ部２０を相互に押圧・接触させると、フック部１８のカギ状部がループ部２０のループ状部に引っ掛かり、両者がくっつくことになる。そして、フック部１８とループ部２０を所定の力で離間させると、カギ状部とループ状部との係合が解除され、両者を引き離すことができる。
【００４５】
ここで、フック部１８のカギ状部がマッシュルーム形状となるように形成することにより、カギ状部がループ部２０のループ状部にはまり込んだときに、両者が容易に外れることを防止できる。
【００４６】
また、フック部１８のカギ状部が矢尻形状となるように形成することにより、両者の係合を強固にすることもできる。
【００４７】
なお、フック部１８のカギ状部とループ部２０のループ状部とがマッシュルーム形状となるように形成することにより、対向するマッシュルームの頭と頭を突き合わせて、微妙に滑らせながら最適の位置を決め、押し込んでかみ合わせることも可能になる。
【００４８】
次に、履物について説明する。
【００４９】
図３乃至図５に示すように、履物２２には、上記したインソール用凸状部材１０を備えた上記インソール１２が収容されている。
【００５０】
履物２２として、例えば、スニーカー、ビジネスシューズ、ブーツ、ジョギングシューズ、ゴルフシューズ、テニスシューズ、スノーボード用ブーツ、スキー用ブーツなど履物一般、特にスポーツ用の履物が適している。
【００５１】
ここで、履物２２に収容されるインソール用凸状部材１０及びインソール１２には、例えば３つの形態（構成）が挙げられる。
【００５２】
第１の形態としては、図３に示すように、上記インソール１２の上面（足裏の対面する側の表面）にインソール用凸状部材１０の凸状部材本体１４が着脱自在に装着され、その上方から履物２２に付随していたインソール２４（以下、本発明のインソールと区別するために「付随インソール」と称する）が積まれている態様である。インソール用凸状部材１０の凸状部材本体１４をインソール１２と付随インソール２４との間でサンドイッチする構造である。この態様では、凸状部材本体１４が配置されている部位近傍で、付随インソール２４が凸状に盛り上がっている。
【００５３】
第１の形態では、インソール用凸状部材１０の凸状部材本体１４は、インソール１２又は付随インソール２４の少なくともいずれか一方（両方も可能）に対して、着脱自在に装着されている。例えば、凸状部材本体１４に面ファスナー部１６を構成する一方側ファスナー部１６Ａ又は他方側ファスナー部１６Ｂの少なくともいずれか一方が形成され、インソール１２の上面又は／及び付随インソール２４の下面に面ファスナー部１６を構成する一方側ファスナー部１６Ａ又は他方側ファスナー部１６Ｂの少なくともいずれか他方が形成されている。
【００５４】
第２の形態としては、図４に示すように、上記インソール１２の下面にインソール用凸状部材１０の凸状部材本体１４が着脱自在に装着されている態様である。この態様では、凸状部材本体１４が配置されている部位近傍で、インソール１２が凸状に盛り上がっている。なお、インソール用凸状部材１０の凸状部材本体１４が装着される対象は、インソール１２ではなく、付随インソール２４でもよい。
【００５５】
第２の形態では、インソール用凸状部材１０の凸状部材本体１４は、インソール１２又は付随インソール２４の一方に対して、着脱自在に装着されている。例えば、凸状部材本体１４の上面に面ファスナー部１６を構成する一方側ファスナー部１６Ａ又は他方側ファスナー部１６Ｂの少なくともいずれか一方が形成され、インソール１２の下面又は付随インソール２４の下面に面ファスナー部１６を構成する一方側ファスナー部１６Ａ又は他方側ファスナー部１６Ｂの少なくともいずれか他方が形成されている。
【００５６】
第３の形態として、図５に示すように、上記インソール１２の上面に凸状部材本体１４が着脱自在に装着されている態様である。この態様では、インソール１２上の凸状部材本体１４の部位で、凸状に盛り上がっている。なお、凸状部材本体１４が装着される対象は、インソール１２ではなく、付随インソール２４でもよい。
【００５７】
第３の形態では、凸状部材本体１４は、インソール１２又は付随インソール２４の一方に対して、着脱自在に装着されている。例えば、凸状部材本体１４の下面に面ファスナー部１６を構成する一方側ファスナー部１６Ａ又は他方側ファスナー部１６Ｂの少なくともいずれか一方が形成され、インソール１２の上面又は付随インソール２４の上面に面ファスナー部１６を構成する一方側ファスナー部１６Ａ又は他方側ファスナー部１６Ｂの少なくともいずれか他方が形成されている。
【００５８】
次に、インソール用凸状部材１０の設置方法について説明する。なお、凸状部材本体１４は、インソール１２又は付随インソール２４の両方に取り付けが可能であるが、ここではインソール１２に取り付けられる態様を一例にとり説明する。
【００５９】
上述した通り、凸状部材本体１４が、面ファスナー部１６によってインソール１２に対して着脱自在に取り付けられる。
【００６０】
凸状部材本体１４の取付位置は、使用者の身体的特性に最適となる位置に取り付けられる。具体的には、インソール１２の上面又は下面に対して、所定の傾斜角度をつけて凸状部材本体１４が取り付けられる。
【００６１】
ここで、「所定の角度」とは、使用者の身体的特性に合致した角度であり、例えば使用者が動作し易い角度、換言すれば使用者からの荷重が作用し易い角度を意味する。また、当該所定の角度となるように、分度器（アングルガイド：図示省略）が用いられる。
【００６２】
凸状部材本体１４の装着手順の一例を以下に説明する。
【００６３】
先ず、履物２２に既存のインソール（付随インソール）が存在する場合には、当該付随インソール２４を履物２２からいったん取り出す。
【００６４】
そして、インソール１２の大きさを自身の足裏に合わせるようにして調整（例えば、カッティング）する。ここで、インソール１２の表面には、足のサイズに応じた切取線が予め印字されていることが好ましい。
【００６５】
インソール１２に表面に表記されたセンターライン（中心線）にアングルガイドを合わせ、凸状部材本体１４の傾斜角度が所定の角度となるようにして、凸状部材本体１４をインソール１２に装着する。なお、両者の装着方法は、上記した面ファスナー部１６により実現できる。
【００６６】
凸状部材本体１４は、例えば、足裏の母趾の付け根と第２趾の付け根との両方を通るようにして装着することが好ましい。
【００６７】
なお、母趾の付け根と第２趾の付け根との両方又は母趾の付け根と第２趾の付け根との間を通るラインをフォースラインと呼び、運動中に効率良く力を作用させるための基準になる線を意味する。
【００６８】
使用者に最適な角度をもって凸状部材本体１４がインソール１２のフォースライン上に装着された場合には、運動中において必要な方向へ力を作用させ易くなる。このため、使用者の重心移動などの動作を支援・促進する効果を得ることができる。
【００６９】
付随インソール２４は、インソール１２に装着された凸状部材本体１４の上方から重ねるようにして載置する。そして、これらの組立体を履物２２の内部に収容する。これにより、図３に示す第１の態様が完成する。
【００７０】
なお、図４に示す第２の態様及び図５に示す第３の態様についても、同様の方法で実行することができる。
【００７１】
また、凸状部材本体１４は、様々な傾斜角度の設定が可能である。
【００７２】
例えば、図６に示すように、凸状部材本体１４を略水平方向に設置した場合（母趾の付け根と第２趾の付け根との両方を通るように設置した場合）には、前後方向の重心移動を制御することができる。
【００７３】
また、例えば、図７に示すように、凸状部材本体１４を略垂直方向に設置した場合（母趾の付け根と第２趾の付け根との間を通るように設置した場合）には、左右方向の重心移動を制御することができる。
【００７４】
上記のように凸状部材本体１４を設置する場合には、足の親指が凸状部材本体１４に引っかかり、素早く、かつ正確な重心移動が可能になる。
【００７５】
以上のように、本実施形態によれば、使用者の身体的特性に合致した最適な位置に凸状部材本体１４を設置したインソール１２を得ることができる。
【００７６】
また、面ファスナー部１６が相互に着脱自在に係合可能なフック部１８とループ部２０とを有しているため、凸状部材本体１４をインソール１２に対して着脱自在に装着することができる。
【００７７】
凸状部材本体１４として重心移動制御部材１５を採用することにより、動作時に足裏の一部に引っ掛かり、重心移動を容易かつ的確に制御することができる。
【００７８】
凸状部材本体１４としてつぼ押圧部材１７を採用することにより、使用者の身体状況に最適な指圧効果を得ることができる。
【００７９】
（実施例）
次に、実施例について説明する。
【００８０】
本実施形態は、様々なスポーツの履物に適用することができる。ここで、スノーボードを一例にとって説明するが、スノーボードに限られる趣旨ではない。
【００８１】
スノーボードというスポーツは、滑走時のわずかな重心コントロールの影響を受け易いスポーツである。
【００８２】
そこで、上記した本実施形態のインソール用凸状部材１０を設けたインソール１２あるいはこれらを収容した履物２２を用いることにより、滑走中において身体からの荷重が足裏からインソール１２を介してスノーボードへ的確に伝達される。これにより、滑走中の微細な操作が可能になり、滑走者の意思を滑走に反映させることができる。
【００８３】
以上のように、スノーボード上での理想的な重心移動と個人の身体特性を考慮してサポートすることができる。
【００８４】
詳細には、スノーボード上での重心が最短距離でスノーボードのエッジに作用し、かつ安定した重心移動を実現することができる。
【００８５】
また、使用者個人の股関節の旋回角度など、身体的特性に合致した部位に、凸状部材本体を装着することができる。
【００８６】
（実験結果）
ここで、実施例の実験結果について説明する。
【００８７】
図８は、インソール用凸状部材１０の凸状部材本体１４を装着せず、かつ角度を調整しない状態において、スノーボードを行い、その滑走者の右足における重心移動の変化を測定したものである。図８での重心軌跡長・安定性を標準とする。
【００８８】
図９は、インソール用凸状部材１０の凸状部材本体１４を装着し、かつ角度を調整しない状態において、スノーボードを行い、その滑走者の右足における重心移動の変化を測定したものである。図８に示す結果と比較して、安定性は変化していないが、重心軌跡長だけが長くなったことが判明した。
【００８９】
図１０は、インソール用凸状部材１０の凸状部材本体１４を装着し、かつ角度を調整した状態において、スノーボードを行い、その滑走者の右足における重心移動の変化を測定したものである。結果として、凸状部材本体１４がスノーボードのエッジ方向側に設置されている。図８及び図９に示す結果と比較して、重心軌跡長が格段に長くなり、安定性が向上したことが判明した。
【００９０】
なお、上記重心制御の効果は、スノーボード以外の動作・スポーツにおいても実現することができる。例えば、左右方向の重心移動が重要になるゴルフやテニス、ウォーキング・ジョギングの他に、ラグビー、サッカーなどの球技一般についても極めて有用になる。
【符号の説明】
【００９１】
１０    インソール用凸状部材
１２    インソール
１４    凸状部材本体
１５    重心移動制御部材
１６    面ファスナー部
１７    つぼ押圧部材
１８    フック部
２０    ループ部
２２    履物
２４    付随インソール（履物に既存のインソール）
【図１】
2014132940.tif 000003
【図２】
2014132940.tif 000004
【図３】
2014132940.tif 000005
【図４】
2014132940.tif 000006
【図５】
2014132940.tif 000007
【図６】
2014132940.tif 000008
【図７】
2014132940.tif 000009
【図８】
2014132940.tif 000010
【図９】
2014132940.tif 000011
【図１０】
2014132940.tif 000012
【図１１】
2014132940.tif 000013